(57)【要約】  【課題】  電子メールを用いなくても、申込内容を後で確認することのできる申込確認システムを提供する。  【解決手段】  申込確認システム１は、端末装置２とコンテンツ提供サーバ４を備える。端末装置２は、コンテンツ提供サーバ４により提供されたコンテンツ上で申込情報を入力すると、その申込情報を含む申込要求を、コンテンツ提供サーバ４へ送信する。コンテンツ提供サーバ４は、端末装置２から申込要求を受け付けると、その申込情報の内容を確認するための特定のオブジェクトタグが埋め込まれた確認コンテンツを生成し、端末装置２へ提供する。端末装置２では、確認コンテンツに埋め込まれた特定のオブジェクトタグに従って、確認コンテンツが表示されたときに、その確認コンテンツのキャプチャ処理が実行される。【選択図】  図１
2013152507.tif 000002
【特許請求の範囲】
【請求項１】
端末装置と、前記端末装置に接続されるコンテンツ提供サーバと、を備える申込確認システムであって、
前記端末装置は、
前記コンテンツ提供サーバにより提供されたコンテンツ上で申込のために必要とされる申込情報を入力する入力部と、
前記申込情報を含む申込要求を前記コンテンツ提供サーバへ送信する申込要求送信部と、
を備え、
前記コンテンツ提供サーバは、
前記端末装置からの前記申込要求を受け付けたときに、前記申込情報の内容を確認するための特定符号が埋め込まれた確認コンテンツを生成する確認コンテンツ生成部と、
前記確認コンテンツを前記端末装置へ提供する確認コンテンツ提供部と、
を備え、
さらに、前記端末装置は、
前記コンテンツ提供サーバにより提供された前記確認コンテンツを表示する表示部と、
前記確認コンテンツの表示画面情報を、画像データとして記憶部に記憶するキャプチャ処理を実行するキャプチャ処理部と、
を備え、
前記キャプチャ処理部は、前記確認コンテンツに埋め込まれた前記特定符号に従って、前記確認コンテンツが表示されたときに当該確認コンテンツのキャプチャ処理を実行することを特徴とする申込確認システム。
【請求項２】
更に、前記端末装置に第１の通信ネットワークを介して接続されるとともに前記コンテンツ提供サーバに第２の通信ネットワークを介して接続され、前記端末装置と前記コンテンツ提供サーバとの通信を中継するシステム運営者サーバを備え、
前記システム運営者サーバは、前記端末装置から、予め登録された前記コンテンツ提供サーバのコンテンツの表示要求を受信すると、該当するコンテンツ提供サーバからコンテンツを取得して前記端末装置に送信し、
前記端末装置は、前記システム運営者サーバを介して受信した前記コンテンツ上で前記申込情報を入力する、請求項１に記載の申込確認システム。
【請求項３】
前記記憶部には、前記端末装置の利用者毎に専用の第１記憶部と、前記端末装置の複数の利用者に共用の第２記憶部が含まれており、
前記表示部には、前記確認コンテンツに埋め込まれた前記特定符号に従って、前記確認コンテンツを表示するときに当該確認コンテンツの表示画面情報の画像データを前記第１記憶部と前記第２記憶部のいずれの記憶部に記憶するかを選択するための選択画面が表示され、
前記キャプチャ処理部は、前記選択画面において選択された記憶部に、前記確認コンテンツの表示画面情報の画像データを記憶する、請求項１または請求項２に記載の申込確認システム。
【請求項４】
前記表示部には、前記確認コンテンツに埋め込まれた前記特定符号に従って、前記確認コンテンツを表示するときに当該確認コンテンツの表示画面情報の画像データを前記記憶部に記憶すべきであるか否かを選択するための選択画面が表示され、
前記キャプチャ処理部は、前記選択画面において記憶すべきであると選択されたときに、前記確認コンテンツの表示画面情報の画像データを前記記憶部に記憶する、請求項１〜請求項３のいずれかに記載の申込確認システム。
【請求項５】
申込確認システムのコンテンツ提供サーバで実行される方法であって、
前記コンテンツ提供サーバには、端末装置が接続され、
前記端末装置では、前記コンテンツ提供サーバにより提供されたコンテンツ上で申込のために必要とされる申込情報が入力されると、前記申込情報を含む申込要求が前記コンテンツ提供サーバへ送信され、
前記方法は、
前記端末装置からの前記申込要求を受け付けたときに、前記申込情報の内容を確認するための特定符号が埋め込まれた確認コンテンツを生成することと、
前記確認コンテンツを前記端末装置へ提供することと、
を含み、
前記端末装置では、前記コンテンツ提供サーバにより提供された前記確認コンテンツが表示されたときに、前記確認コンテンツに埋め込まれた前記特定符号に従って、前記確認コンテンツの表示画面情報を画像データとして記憶部に記憶するキャプチャ処理が実行されることを特徴とする方法。
【発明の詳細な説明】
【技術分野】
【０００１】
本発明は、端末装置とコンテンツ提供サーバとで構成される申込確認システムに関し、端末装置で入力した申込情報の内容を確認するための技術に関する。
【背景技術】
【０００２】
近年、Ｗｅｂページを閲覧する端末として、タッチパネルによる直感的な操作インターフェースを備えたタブレット端末などが普及し、高齢者など普段デジタル機器を使い慣れない利用者にとってＷｅｂページを経由した商品／サービスの申込が簡単に行えるようになってきている。
【０００３】
従来、このようなＷｅｂページを経由した商品／サービスの申込内容の確認には、Ｗｅｂサイトの運営者から送信される注文確認メールなどが用いられている（例えば、特許文献１参照）。
【先行技術文献】
【特許文献】
【０００４】
【特許文献１】特開２００７−３１０４７０号公報
【発明の概要】
【発明が解決しようとする課題】
【０００５】
しかしながら、デジタル機器を使い慣れない利用者（例えば、高齢者など）にとって、電子メールは未だ身近なツールとは言えず、電子メールのアカウントを所有していない利用者や、アカウントを所有していてもメールソフトの設定をしていない利用者、メールボックスを確認する習慣のない利用者も、少なくない。
【０００６】
本発明は、上記の課題に鑑みてなされたもので、電子メールを用いなくても、申込内容を後から確認することのできる申込確認システムを提供することを目的とする。
【課題を解決するための手段】
【０００７】
本発明の申込確認システムは、端末装置と、前記端末装置に接続されるコンテンツ提供サーバと、を備える申込確認システムであって、前記端末装置は、前記コンテンツ提供サーバにより提供されたコンテンツ上で申込のために必要とされる申込情報を入力する入力部と、前記申込情報を含む申込要求を前記コンテンツ提供サーバへ送信する申込要求送信部と、を備え、前記コンテンツ提供サーバは、前記端末装置からの前記申込要求を受け付けたときに、前記申込情報の内容を確認するための特定符号が埋め込まれた確認コンテンツを生成する確認コンテンツ生成部と、前記確認コンテンツを前記端末装置へ提供する確認コンテンツ提供部と、を備え、さらに、前記端末装置は、前記コンテンツ提供サーバにより提供された前記確認コンテンツを表示する表示部と、前記確認コンテンツの表示画面情報を、画像データとして記憶部に記憶するキャプチャ処理を実行するキャプチャ処理部と、を備え、前記キャプチャ処理部は、前記確認コンテンツに埋め込まれた前記特定符号に従って、前記確認コンテンツが表示されたときに当該確認コンテンツのキャプチャ処理を実行する。
【０００８】
これにより、端末装置で、コンテンツ提供サーバにより提供されたコンテンツ上で申込のために必要とされる申込情報を入力すると、その申込情報を含んだ申込要求がコンテンツ提供サーバへ送信される。コンテンツ提供サーバでは、端末装置からの申込要求を受け付けると、申込情報の内容を確認するための特定符号（例えば、オブジェクトタグ）が埋め込まれた確認コンテンツが生成され、端末装置へ提供される。そして、端末装置では、確認コンテンツが表示されるときに、その確認コンテンツに埋め込まれた特定符号に従って、その確認コンテンツのキャプチャ処理が自動的に実行される。したがって、従来のように電子メールを用いなくても、容易に申込情報の内容を記録・保管・確認することができる。
【０００９】
また、本発明の申込確認システムは、更に、前記端末装置に第１の通信ネットワークを介して接続されるとともに前記コンテンツ提供サーバに第２の通信ネットワークを介して接続され、前記端末装置と前記コンテンツ提供サーバとの通信を中継するシステム運営者サーバを備え、前記システム運営者サーバは、前記端末装置から、予め登録された前記コンテンツ提供サーバのコンテンツの表示要求を受信すると、該当するコンテンツ提供サーバからコンテンツを取得して前記端末装置に送信し、前記端末装置は、前記システム運営者サーバを介して受信した前記コンテンツ上で前記申込情報を入力してもよい。
【００１０】
これにより、端末装置とコンテンツ提供サーバとの間にシステム運営者サーバが介在し、端末装置には、システム運営者サーバに予め登録されたコンテンツ提供サーバのコンテンツ（信頼性の高いコンテンツ）しか提供されないようにすることができる。このようにして、端末装置２の利用者に、信頼性の高いコンテンツのみを提供することができ、デジタル機器を使い慣れない利用者（例えば高齢者など）であっても安心してコンテンツの閲覧をすることができる。
【００１１】
また、本発明の申込確認システムでは、前記記憶部には、前記端末装置の利用者毎に専用の第１記憶部と、前記端末装置の複数の利用者に共用の第２記憶部が含まれており、前記表示部には、前記確認コンテンツに埋め込まれた前記特定符号に従って、前記確認コンテンツを表示するときに当該確認コンテンツの表示画面情報の画像データを前記第１記憶部と前記第２記憶部のいずれの記憶部に記憶するかを選択するための選択画面が表示され、前記キャプチャ処理部は、前記選択画面において選択された記憶部に、前記確認コンテンツの表示画面情報の画像データを記憶してもよい。
【００１２】
これにより、端末装置で確認コンテンツが表示されるときに、その確認コンテンツに埋め込まれた特定符号に従って、確認コンテンツを表示するときに当該確認コンテンツの表示画面情報の画像データを記憶する記憶部を選択するための選択画面が自動的に表示される。そして、その選択画面において選択された記憶部（第１記憶部または第２記憶部）に、確認コンテンツの表示画面情報の画像データが記憶される。この場合、第１記憶部を選択することにより、確認コンテンツの表示画面情報の画像データを端末装置の利用者毎に「専用」とすることができる。また、第２記憶部を選択することにより、確認コンテンツの表示画面情報の画像データを端末装置の複数の利用者に「共用」とすることができる。これにより、確認コンテンツの内容（申込情報の内容）に応じて、その確認コンテンツの表示画面情報の画像データを「専用」とするか「共用」とするかを選択することができる。
【００１３】
本発明の申込確認システムでは、前記表示部には、前記確認コンテンツに埋め込まれた前記特定符号に従って、前記確認コンテンツを表示するときに当該確認コンテンツの表示画面情報の画像データを前記記憶部に記憶すべきであるか否かを選択するための選択画面が表示され、前記キャプチャ処理部は、前記選択画面において記憶すべきであると選択されたときに、前記確認コンテンツの表示画面情報の画像データを前記記憶部に記憶してもよい。
【００１４】
これにより、端末装置で確認コンテンツが表示されるときに、その確認コンテンツに埋め込まれた特定符号に従って、確認コンテンツを表示するときに当該確認コンテンツの表示画面情報の画像データを記憶部に記憶すべきであるか否かを選択するための選択画面が自動的に表示される。そして、その選択画面において「選択すべきである」と選択されたときに、確認コンテンツの表示画面情報の画像データが記憶部に記憶される。これにより、利用者の必要に応じて、確認コンテンツの表示画面情報の画像データを記憶すべきか否かを選択することができる。
【００１５】
本発明の方法は、申込確認システムのコンテンツ提供サーバで実行される方法であって、前記コンテンツ提供サーバには、端末装置が接続され、前記端末装置では、前記コンテンツ提供サーバにより提供されたコンテンツ上で申込のために必要とされる申込情報が入力されると、前記申込情報を含む申込要求が前記コンテンツ提供サーバへ送信され、前記方法は、前記端末装置からの前記申込要求を受け付けたときに、前記申込情報の内容を確認するための特定符号が埋め込まれた確認コンテンツを生成することと、前記確認コンテンツを前記端末装置へ提供することと、を含み、前記端末装置では、前記コンテンツ提供サーバにより提供された前記確認コンテンツが表示されたときに、前記確認コンテンツに埋め込まれた前記特定符号に従って、前記確認コンテンツの表示画面情報を画像データとして記憶部に記憶するキャプチャ処理が実行される。
【００１６】
この方法によっても、上記のシステムと同様に、端末装置で、コンテンツ提供サーバにより提供されたコンテンツ上で申込のために必要とされる申込情報を入力し、その申込情報を含んだ申込要求がコンテンツ提供サーバへ送信されると、コンテンツ提供サーバでは、端末装置からの申込要求を受け付け、申込情報の内容を確認するための特定符号（例えば、オブジェクトタグ）が埋め込まれた確認コンテンツが生成され、端末装置へ提供される。そして、端末装置では、確認コンテンツが表示されるときに、その確認コンテンツに埋め込まれた特定符号に従って、その確認コンテンツのキャプチャ処理が自動的に実行される。したがって、従来のように電子メールを用いなくても、容易に申込情報の内容を記録・保管・確認することができる。
【発明の効果】
【００１７】
本発明の申込確認システムによれば、従来のように電子メールを用いなくても、容易に申込情報の内容を確認することができる。
【図面の簡単な説明】
【００１８】
【図１】本発明の実施の形態における申込確認システムの構成を説明する図
【図２】本発明の実施の形態における端末装置の構成を示すブロック図
【図３】本発明の実施の形態におけるシステム運営者サーバの構成を示すブロック図
【図４】本発明の実施の形態におけるコンテンツ提供サーバの構成を示すブロック図
【図５】本発明の実施の形態における端末装置のメイン画面の表示例を示す図
【図６】本発明の実施の形態における端末装置のＷｅｂ閲覧トップ画面の表示例を示す図
【図７】本発明の実施の形態における申込確認の処理の流れを説明するシーケンス図
【発明を実施するための形態】
【００１９】
以下、本発明の実施の形態の申込確認システムについて、図面を用いて説明する。本実施の形態では、電子メールを使い慣れない利用者（例えば高齢者など）のための申込確認システム等として用いられる場合を例示する。
【００２０】
本発明の実施の形態の申込確認システムの構成を、図面を参照して説明する。図１は、本実施の形態の申込確認システムの構成を示す図である。図１に示すように、申込確認システム１は、端末装置２とシステム運営者サーバ３と提携企業サーバ４とで構成される。なお、図１では、説明の便宜上、端末装置２が１台だけ図示されているが、端末装置２の台数は、２台以上であってよい。同様に、図１では、提携企業サーバ４が２台だけ図示されているが、提携企業サーバ４の台数は、１台でもよく、３台以上であってもよい。
【００２１】
端末装置２は、警備対象である顧客の住宅等に設置されて警備の設定・管理等を行うとともに、Ｗｅｂ閲覧を行うこともできる警備システム用のコントローラである。システム運営者は、警備システムとＷｅｂ閲覧システムを運営する者であり、システム運営者サーバ３は、システム運営者によって管理運営されるサーバである。提携企業サーバ４は、システム運営者と提携関係にある企業（提携企業）によって管理運営されるサーバであり、それらの提携企業の中には、端末装置２やそれを用いたサービス契約（例えば、本実施の形態では、警備サービスの契約）の受注代行や受注仲介などの販売支援を行う販売支援業者も含まれている。
【００２２】
システム運営者サーバ３と端末装置２とは、第１のセキュア通信ネットワーク５によって接続されている。例えば、第１のセキュア通信ネットワーク５は、インターネットであり、システム運営者サーバ３と端末装置２とは、インターネットを介してｈｔｔｐｓ（Hypertext Transfer Protocol over Secure Socket Layer）による暗号化通信を行う。システム運営者サーバ３と提携企業サーバ４とは、第２のセキュア通信ネットワーク６によって接続されている。例えば、システム運営者サーバ３と提携企業サーバ４とは、第２のセキュア通信ネットワーク６を介してＶＰＮ（Virtual Private Network）による暗号化通信を行う。
【００２３】
図２は、端末装置２の構成を示すブロック図である。図２に示すように、端末装置２は、システム運営者サーバ３との通信（ｈｔｔｐｓによる暗号化通信）を行うための通信部７と、警備設定画面やＷｅｂページ画面などを表示するための表示部８と、利用者（端末装置２のユーザ）が様々な入力操作を行うための入力部９を備えている。図２に示すように、タッチセンサと液晶パネルとが組み合わせされてタッチパネル１０が構成されてもよい。その場合、表示部８は、液晶パネルであり、入力部９は、タッチセンサである。また、入力部９は、ＩＣカードリーダを備えており、利用者が挿入するＩＣカードの情報を読み取って、操作する利用者を識別する。
【００２４】
端末装置２は、警備対象箇所に備えられたカメラや各種センサ等の警備用機器と有線又は無線で接続され、警備用機器から画像、センサ検出値を受けてこれを表示部８に表示する機能を備えている。また、端末装置２は、入力部９からのユーザの入力に応じて、各種の警備の設定を行う機能や、コントロールセンタに、ユーザの帰宅や警備の設定等の入力情報を送信する機能、警備用機器のセンサ検出値を送信する等の機能を備えている。さらに、端末装置２は、提携企業サーバ４から提供されるＷｅｂコンテンツを表示（Ｗｅｂページを閲覧）する機能を備えている。
【００２５】
端末装置２は、提携企業サーバ４から提供されるＷｅｂコンテンツ上で、当該コンテンツに係る発注や登録といった申込をする機能を有しており、そのための構成として入力部９と通信制御部１１を備えている。入力部９からは、提携企業サーバ４から提供されるコンテンツ（申込用のコンテンツ）上での申込のために必要とされる情報（申込情報）が入力される。申込情報は、例えば、申込対象の商品の商品名・金額・支払い方法・お届け先（住所や氏名）などの情報である。もちろん、申込対象は、商品に限られず、サービスなどであってもよい。通信制御部１１は、入力部９から入力された申込情報を含んだ申込要求を送信するための申込要求送信部１２を備えている。この場合、申込要求は、システム運営サーバ３を介して提携企業サーバ４へ送信される。
【００２６】
また、端末装置２は、Ｗｅｂコンテンツ上での申込の内容を確認する機能を有しており、そのための構成として表示部８とキャプチャ処理部１３と二つの記憶部（第１記憶部１４と第２記憶部１５）を備えている。第１記憶部１４は、端末装置２の利用者毎に専用の記憶部である。一方、第２記憶部１５は、端末装置２の複数の利用者の間で共用の記憶部である。表示部８には、提携企業サーバ４から提供される確認コンテンツ（申込内容の確認用のコンテンツ。後述する）が表示される。キャプチャ処理部１３は、提携企業サーバ４から提供されるコンテンツに含まれる特定の符号を実行命令として認識し、表示部８に表示される確認コンテンツの表示画像を画像データとして第１記憶部１４または第２記憶部１５に記憶（保存）する処理（キャプチャ処理）を実行する。キャプチャ処理部１３は、キャプチャ処理用のアプリケーション（キャプチャアプリ）であってもよい。
【００２７】
後述するように、提携企業サーバ４から提供される確認コンテンツには、そのＷｅｂコンテンツを記述するファイル（例えば、ＨＴＭＬ文書）の中に、申込内容を確認するための特定のオブジェクトタグ（例えば、ＨＴＭＬ文書におけるＯＢＪＥＣＴタグ）が埋め込まれている。キャプチャ処理部１３は、端末装置２が確認コンテンツを受信して表示部８に表示を行う際に、このコンテンツに埋め込まれた特定のオブジェクトタグを読み込むと、この特定のオブジェクトタグを実行命令として当該確認コンテンツが表示されている画面イメージを画像データとして抽出して保存するキャプチャ処理を実行する。
【００２８】
例えば、表示部８には、確認コンテンツが表示されるときに、その確認コンテンツの画像データを第１記憶部１４と第２記憶部１５のどちらに保存するかを選択するための選択画面が表示されてもよい。その場合、キャプチャ処理部１３は、その選択画面で選択された記憶部に確認コンテンツの画像データを保存してもよい。また、表示部８には、確認コンテンツが表示されるときに、その確認コンテンツの画像データを記憶（保存）すべきであるか否かを選択するための選択画面が表示されてもよい。その場合、キャプチャ処理部１３は、その選択画面で「記憶すべきである」と選択されたときにだけ確認コンテンツの画像データを保存してもよい。このとき、確認コンテンツの画像データを保存する領域としては、第１記憶部１４とすることが好ましい。なお、これらの選択画面の表示も、受信した確認コンテンツに埋め込まれたオブジェクトタグを読み込むことにより実行することができる。
【００２９】
図３は、本実施の形態におけるシステム運営者サーバ３の構成を示すブロック図である。図３に示すように、システム運営者サーバ３は、端末装置２との通信（ｈｔｔｐｓによる暗号化通信）を行うための端末側通信部１６と、提携企業サーバ４との通信（ＶＰＮによる暗号化通信）を行うためのサーバ側通信部１７を備えている。また、システム運営者サーバ３は、提携企業サーバ４から提供されるＷｅｂコンテンツを記憶しておくコンテンツ記憶部１８と、それらのＷｅｂコンテンツを端末装置２へ提供するコンテンツ提供部１９とを備えている。
【００３０】
端末装置２のユーザは、システム運営者サーバ３が仲介する範囲で、所望するＷｅｂページを閲覧する。具体的には、端末装置２により、システム運営者サーバ３に予め登録された提携企業サイトの中から所望する企業のＷｅｂページが指定され、システム運営者サーバ３が、該当する提携企業サーバ４からＷｅｂページのコンテンツを取得して、端末装置２に送信する。端末装置２のユーザ（利用者）は、この提携企業のＷｅｂコンテンツを閲覧して、必要に応じて入力部９から申込情報を入力し、提携企業サーバ４に送信する。
【００３１】
図４は、提携企業サーバ４の構成を示すブロック図である。図４に示すように、提携企業サーバ４は、システム運営者サーバ３と通信を行うための通信部２０を備えている。また、提携企業サーバ４は、提携企業サーバ４が提供するＷｅｂコンテンツを生成するコンテンツ生成部２１と、生成したＷｅｂコンテンツを記憶しておくコンテンツ記憶部２２を備えている。また、提携企業サーバ４は、生成したＷｅｂコンテンツ（または、記憶したＷｅｂコンテンツ）を、システム運営者サーバ３を介して端末装置２へ提供するコンテンツ提供部２３を備えている。
【００３２】
この提携企業サーバ４は、確認コンテンツを生成して端末装置２へ提供する機能を有している。コンテンツ生成部２１は、端末装置２から申込要求を受け付けたときに、申込情報の内容を確認するためのＷｅｂコンテンツ（確認コンテンツ）を生成する。この確認コンテンツには利用者が入力した申込情報の内容が含まれ、利用者はこれを見て、入力内容に不備がないか確認する。また、この確認コンテンツには、申込情報の内容を確認するための特定のオブジェクトタグが埋め込まれる。なお、確認コンテンツは、選択画面を表示するための特定のオブジェクトタグが埋め込まれてもよい。コンテンツ提供部２３は、このように生成した確認コンテンツを、システム運営者サーバ３を介して端末装置２へ提供する。
【００３３】
ここで、端末装置２の表示部８での表示例について説明しておく。図５は、端末装置２の表示部８の表示例（表示画面の例）を示す図であり、具体的には、端末装置２を立ち上げたときに最初に表示されるメイン画面の一例が示されている。図５の例では、メイン画面には、警備に関する入力を行うためのアイコンのほかに、モードを切り替えるためのアイコンとして、メニューアイコンとともに、Ｗｅｂ閲覧用アイコンＩ１が含まれている。
【００３４】
端末装置２のユーザ（利用者）が、ＩＣカードを入力部９に挿入した後に、端末装置２のタッチパネル１０上でこのアイコンＩ１をタッチすると、システム運営者サーバ３にユーザおよび端末装置２をそれぞれ識別する識別情報が送信され、この応答としてシステム運営者サーバ３からこの識別情報に対応するＷｅｂ閲覧トップ画面が送信されて、端末装置２に表示される。このために、システム運営者サーバ３は、Ｗｅｂ閲覧トップ画面をユーザの識別情報に対応させてユーザ毎に記憶している。なお、このＷｅｂ閲覧トップ画面は、端末装置２に記憶されていてもよい。
【００３５】
図６は、Ｗｅｂ閲覧トップ画面の表示例を示す図である。図６に示すように、Ｗｅｂ閲覧トップ画面には、システム運営者の提携企業のうちの、端末装置２のユーザがＷｅｂページの閲覧を登録した企業のバナーが、その企業用のＷｅｂページ表示ボタンとして表示される。このバナーにタッチすることで、該当する企業のＷｅｂページの表示要求が、システム運営者サーバ３に送信され、システム運営者サーバ３を介して表示用コンテンツが取得されて表示される。図６の例では、Ｗｅｂ閲覧トップ画面には、１つの大きなバナーＢ１と複数の小さなバナーＢ２〜Ｂ４が含まれている。また、Ｗｅｂ閲覧トップ画面には、バナーの登録をするための企業一覧アイコンＩ２が含まれている。企業一覧アイコンＩ２をタッチすると、企業の一覧表示が行われる。
【００３６】
なお、一覧表示された企業の中から所望の企業を選択することにより、システム運営者サーバ３にプレビュー要求が送信され、その企業のプレビュー表示用のＷｅｂページが表示され、プレビュー表示として一定の制限の下でＷｅｂページを閲覧することができる。そして、所望する企業のＷｅｂページに対して登録操作をすることで、システム運営者サーバ３が記憶するＷｅｂ閲覧トップ画面に該当企業のバナーが登録され、閲覧登録が行われる。なお、登録した企業のバナーが複数頁にわたってもよく、その場合には頁送りアイコンＩ３によって、表示する頁を前後させることができる。
【００３７】
このように、Ｗｅｂページの閲覧登録をしておくことで、ユーザは簡易な操作で多くの提携企業の中から所望の企業のＷｅｂページを呼び出してＷｅｂコンテンツを参照することができる。例えば、このように閲覧登録をしておいた企業のＷｅｂページで商品やサービスの申込を行うときに、本実施の形態のような申込確認の機能が利用される。
【００３８】
以下、本実施の形態において申込確認を行うときの処理の流れを、図７のシーケンス図を参照しながら説明する。
【００３９】
図７に示すように、端末装置２において利用者が、ある提携企業のＷｅｂページ（申込用のコンテンツ）上で申込情報の入力を行って（Ｓ１）、申込操作（例えば、申込ボタンのタッチ）を行うと（Ｓ２）、入力した申込情報を含んだ申込要求が、システム運営サーバ３を介して該当の提携企業サーバ４へ送信される（Ｓ３、Ｓ４）。
【００４０】
提携企業サーバ４では、端末装置２から送信された申込要求を受け付けると（Ｓ５）、申込内容を確認するための確認ページ画面（確認用のコンテンツ）を生成する（Ｓ６）。この確認ページ画面は、利用者が入力した申込情報を表示するためのもので、さらに、この確認ページ画面には、申込内容を確認するための特定のオブジェクトタグが埋め込まれている。そして、この確認ページ画面が、システム運営サーバ３を介して端末装置２へ提供される（Ｓ７、Ｓ８）。
【００４１】
端末装置２では、提携企業サーバ４から提供された確認ページ画面の表示が行われる（Ｓ９）。このとき、確認ページ画面を表示する際に、この確認ページ画面を記述するファイルに埋め込まれた特定のオブジェクトタグが読み込まれることにより、キャプチャアプリ（キャプチャ処理用のアプリケーション）が起動する（Ｓ１０）。そして、例えば、確認ページ画面を保存するか否か、を選択する選択画面が表示され（Ｓ１１）、確認ページ画面を「保存する」が選択された場合には、確認ページ画面が画像データとしてキャプチャ処理されて、この画像データの保存が実行される（Ｓ１２）。あるいは、第１記憶部１４と第２記憶部１５のどちらに保存するか、を選択する選択画面が表示され（Ｓ１１）、その選択画面で選択された記憶部（第１記憶部１４または第２記憶部１５）に確認ページ画面が保存される（Ｓ１２）。
【００４２】
このような本発明の実施の形態の申込確認システム１によれば、従来のように電子メールを用いなくても、容易に申込情報の内容を後から確認することができる。
【００４３】
すなわち、本実施の形態では、端末装置２で、提携企業サーバ４により提供されたコンテンツ上で申込のために必要とされる申込情報を入力すると、その申込情報を含んだ申込要求がシステム運営者サーバ３を介して提携企業サーバ４へ送信される。提携企業サーバ４では、端末装置２からの申込要求を受け付けると、申込情報の内容を確認するための特定のオブジェクトタグが埋め込まれた確認コンテンツが生成され、システム運営者サーバ３を介して端末装置２へ提供される。そして、端末装置２では、確認コンテンツが表示されるときに、その確認コンテンツに埋め込まれた特定のオブジェクトタグが読み出され、その確認コンテンツのキャプチャ処理が自動的に実行され、申込内容を記した画像データが保管される。したがって、従来のように電子メールを用いなくても、容易に申込情報の内容を記録・保管・確認することができる。
【００４４】
また、本実施の形態では、端末装置２で確認コンテンツが表示されるときに、その確認コンテンツに埋め込まれた特定のオブジェクトタグに従って、確認コンテンツを表示するときに当該確認コンテンツの表示画面の画像データを記憶する記憶部を選択するための選択画面が自動的に表示される。そして、その選択画面において選択された記憶部（第１記憶部１４または第２記憶部１５）に、確認コンテンツの表示画面の画像データが記憶される。この場合、第１記憶部１４を選択することにより、確認コンテンツの表示画面の画像データを端末装置２の利用者毎に「専用」とすることができる。また、第２記憶部１５を選択することにより、確認コンテンツの表示画面の画像データを端末装置２の複数の利用者に「共用」とすることができる。これにより、確認コンテンツの内容（申込情報の内容）に応じて、その確認コンテンツの表示画面の画像データを「専用」とするか「共用」とするかを選択することができる。
【００４５】
また、本実施の形態では、端末装置２で確認コンテンツが表示されるときに、その確認コンテンツに埋め込まれた特定のオブジェクトタグに従って、確認コンテンツを表示するときに当該確認コンテンツの表示画面の画像データを記憶部に記憶すべきであるか否かを選択するための選択画面が自動的に表示される。そして、その選択画面において「記憶すべきである」と選択されたときに、確認コンテンツの表示画面の画像データが記憶部に記憶される。これにより、利用者の必要に応じて、確認コンテンツの表示画面の画像データを記憶すべきか否かを選択することができる。
【００４６】
また、本実施の形態の申込確認システム１では、端末装置２と提携企業サーバ４との間にシステム運営者サーバ３が介在し、端末装置２には、システム運営者サーバ３に予め登録された提携企業サーバ４のコンテンツ（信頼性の高いＷｅｂコンテンツ）しか提供されないようにすることができる。しかも、端末装置２とシステム運営者サーバ３、システム運営者サーバ３と提携企業サーバ４とが、それぞれセキュア通信ネットワーク５、６で接続されており、端末装置２で閲覧可能なＷｅｂコンテンツを、すべてシステム運営者サーバ３で中継して管理することができる。したがって、端末装置２の利用者に、信頼性の高いＷｅｂコンテンツのみを提供することができ、デジタル機器を使い慣れない利用者（例えば高齢者など）であっても安心してＷｅｂ閲覧をすることができる。
【００４７】
また、第１記憶部１４と第２記憶部１５は、システム運営者サーバ３に設けられていてもよい。この場合、システム運営者サーバ３では、利用者の識別情報ごとに対応させて第１記憶部１４を設け、また、端末装置２の識別情報ごとに対応させて第２記憶部１５を設ける。そして、第１記憶部１４または第２記憶部１５に記憶される情報は、利用者の識別情報および端末装置２の識別情報とともに、端末装置２からシステム運営者サーバに送信されて、システム運営者サーバ３にて対応する第１記憶部１４または第２記憶部１５に記憶処理される。また、端末装置２にて、第１記憶部１４または第２記憶部１５に記憶された情報を読み出す場合には、端末装置２から利用者の識別情報および端末装置２の識別情報とともに、読み出し要求信号をシステム運営者サーバ３に送信する。システム運営者サーバ３では、該当する情報を読み出して、端末装置２に送信し、表示させる。
【００４８】
以上、本発明の実施の形態を例示により説明したが、本発明の範囲はこれらに限定されるものではなく、請求項に記載された範囲内において目的に応じて変更・変形することが可能である。
【産業上の利用可能性】
【００４９】
以上のように、本発明にかかる申込確認システムは、従来のように電子メールを用いなくても、容易に申込情報の内容を記録・保管・確認することができるという効果を有し、電子メールを使い慣れない利用者（例えば高齢者など）のための申込確認システム等として有用である。
【符号の説明】
【００５０】
１  申込確認システム
２  端末装置
３  システム運営者サーバ
４  提携企業サーバ
５  第１のセキュア通信ネットワーク
６  第２のセキュア通信ネットワーク
７  通信部
８  表示部
９  入力部
１０  タッチパネル
１１  通信制御部
１２  申込要求送信部
１３  キャプチャ処理部
１４  第１記憶部
１５  第２記憶部
１６  端末側通信部
１７  サーバ側通信部
１８  コンテンツ記憶部
１９  コンテンツ提供部
２０  通信部
２１  コンテンツ生成部
２２  コンテンツ記憶部
２３  コンテンツ提供部
【図１】
2013152507.tif 000003
【図２】
2013152507.tif 000004
【図３】
2013152507.tif 000005
【図４】
2013152507.tif 000006
【図５】
2013152507.tif 000007
【図６】
2013152507.tif 000008
【図７】
2013152507.tif 000009